(57)【要約】本発明は、好ましくは着用者の手首に捲回して使用され、着用者に関する実用的な情報を有し、留め具（２）とバンド（３）とからなる情報バンド（１）に関する。この留め具（２）は底部（４）に軸支回転可能に接続された蓋部（５）、及び該底部と蓋部（４，５）との間であって両者の内側に形成された少なくとも１つの挟握手段（６）を有し、着用中には、固定具の部品間の留め付け固定協働による強力な挟握力によって、前記底部と蓋部（４，５）とが前記バンド（３）を所定の位置に留め付ける。底部（４）と蓋部（５）とを相互に留め付けた後の挟握手段（６）による挟握力が高いので、前記留め具（２）をその留め付け位置から緩めるときには、両手で留め具を掴むことが必要となる。
2005522297.tif 000002
【特許請求の範囲】
【請求項１】
好ましくは着用者の手首に捲回して使用され、着用者に関する実用的な情報を有し、留め具（２）とバンド（３）とからなり、該留め具（２）は底部（４）に軸支回転可能に接続された蓋部（５）、及び該底部と蓋部（４，５）との間であって両者の内側に形成された少なくとも１つの挟握手段（６）を有し、着用中には、前記底部と蓋部（４，５）とは固定具（16）によって相互に合わさるように留め付けられ、同時に、前記挟握手段（６）によって前記バンド（３）の２つの端部（７，８）を所定位置に挟握して固定する情報バンドにおいて、前記挟握手段（６）が、前記底部（４）に形成された雄形突出部（９）と、前記蓋部（５）に形成されると共に該雄形突出部（９）と協働する凹部（10）とを有し、これら雄形突出部と凹部（９，10）とは、前記固定具（16）を形成する部品の留め付け固定協働による強力な挟握力によって前記バンド（３）を所定位置に固定するようになっており、前記固定具（16）は、前記底部（４）の蓋部と接続されていない方の端部（13）から突き出している切り妻形の壁（15）の内側に設けられた鉤部材（12）と、前記蓋部（５）の底部と接続されていない方の端部（17）に形成された縁部（14）とを有しており、前記縁部（14）は前記蓋部（５）の外側（19）において凹陥部（20）につながっており、該凹陥部（20）の縁端部は前記縁部（14）であり、留め具（２）から前記バンド（３）を緩めるときには、前記蓋部（５）の上側部と、前記留め具（２）が閉じ合わされて固定されていても前記凹陥部（20）の存在によって指をかけるのが可能となる前記鉤部材（12）とをそれぞれ両手で掴むことによって、底部（４）と蓋部（５）とを相互に留め付けた後の挟握手段（６）による挟握力が高いにもかかわらず、その留め付け位置から前記鉤部材（12）を動かすことが可能になる情報バンド。
【請求項２】
前記留め具（２）が、前記底部（４）と前記蓋部（５）とに相互に近接されて配置された２つの挟握手段（６）を有することを特徴とする、請求項１に記載の情報バンド。
【請求項３】
前記バンド（３）の一方の自由端（７）が、前記挟握手段（６）に固定されて協働するための開口部（18）を有していることを特徴とする、前記請求項のいずれか一項に記載の情報バンド。
【発明の詳細な説明】
【技術分野】
【０００１】
本発明は、例えば、個人情報及び住所情報並びに／又は他の実用的な情報を有し、留め具と該留め具で着用者の手首の周りに留め付けるバンドとでなる、情報バンドに関する。
【背景技術】
【０００２】
例えば、大きな店や市場で、或いは休暇中に海外の浜辺などで、子供が何かの理由でいなくなってしまうと大きな問題が生じることがある。このような状況では、店や市場の場合は、情報部の人に頼んでスピーカーシステムを用いて子供の名前を呼んでもらうことができるが、子供が小さくてスピーカーで何を言われているかが理解できない場合はこの方法ではうまくいかない。したがって、迷子を見つけるのには、多くの手段を駆使して多大なる努力を払わなくてはならない。これに類似する他の問題としては、何かの理由で家から出てしまった老人性痴呆症のお年寄り等に関するものがある。さらに、例えば様々な会合が開かれているときなどに、許可された人だけがある管理区間を通ることができる通行管理に際して、自分が通行許可をされていることを証明しなくてはならないこともある。
【発明の開示】
【発明が解決しようとする課題】
【０００３】
本発明の目的は、着用者の手首に締めることができ、個人情報及び住所情報、着用者を捜すもしくは着用者の居場所を突き止めるための機器、又は、例えば通行許可用のＩＤチップ等の実用的な情報をプログラムしたデータチップを有する情報バンドを提供することである。
【課題を解決するための手段】
【０００４】
本発明の特徴は、添付の特許請求の範囲に記載されている。
【発明の効果】
【０００５】
本発明によって、その特別な留め具によって、着用者の手首の周りに容易に締めることのできる情報バンドが提供された。さらに、留め具を開いてその固定位置からバンドを緩めるためには両手を使用する必要があり、このバンドを着用している、例えば、子供又は大人が、大変な苦労をしないと、この留め具は緩まないようになっている。必要であれば、バンドには、名前と電話番号の外に、発症する可能性のある病気に関する情報も入れることができる。危険な状況下や、外にいるとき（exposed）には、このような情報は着用者にとって重要なものとなり得る。このバンドには通行管理用のデータチップを入れることもでき、これによって、厳重に警備されている会合に出席する人の通行管理を容易にすることができる。留め具自体は再利用することができ、情報を変更する必要がある、又はその内容が事実でなかったり正確でなかったりする場合は、必要な回数だけバンドを交換することができる。付属品として予備のバンドを売ることもできる。留め具は、該留め具を着用者の手首に載せた後、手首上で留め付け位置に固定し、然る後に手首上の所望の位置に配するようにして使用する。本発明の情報バンドは、このように、留め具によって安全に締めることができる。
【発明を実施するための最良の形態】
【０００６】
添付の図面を参照しながら、好ましい態様の例によって、本発明をより詳細に記述する。
【０００７】
図から理解されるように、本発明の情報バンド１の好ましい態様例が示されている。該情報バンドは、この情報バンドの所有者又は着用者に関する個人及び住所の情報、又は他の情報を有することができる。情報バンド１は主として２つの部分、即ち、留め具２とバンド３とからなる。留め具２は、底部４と、該底部に軸支回転可能に取り付けられた蓋部５とを有している。２つの挟握手段６が底部４と蓋部５との間に設けられている。底部４と蓋部５とが相互に合わさる方向に閉じられ、底部４と蓋部５との接続部でない方の端部に配置されている固定具16によって底部４と蓋部５とが留め付けられるとすぐに、バンド３の端部７と８とが共に挟握され、所定位置に固定される。固定具16によって底部４と蓋部５とを相互に留めた後には挟握手段６による高い挟握力が働くので、固定具16を緩めて前記情報バンド１を手首から外すときには、両手を用いないとバンドを外すことができない。
【０００８】
図示された例においては、各挟握手段６は、バンド３の挟握のために蓋部５に形成された凹部10と、該凹部と協働する、底部４に設けられた雄形突出部９を有する。図示された例においては、留め具２は、底部４及び蓋部５に相互に近接させて設けた２つの挟握手段６を有している。
【０００９】
固定具16は、底部４と蓋部５との相互に接続されていない方の端部に形成されており、底部４の鉤部材12と、該鉤部材と協働して底部と蓋部とを固定する、蓋部５に形成されている縁部14とからなっている。鉤部材12は、蓋部と接続されていない方の、底部４の端部13から上方に突出した切り妻形の壁15の内側11に設けられている。このようにして、この鉤部材は、底部と接続されていない方の、蓋部５の端部17に設けられた縁部14にしっかりと留め付けられて、縁部と協働して底部と蓋部とを閉じ合わせて固定する。着用者の手首上で前記情報バンド１を閉じ合わせて固定するのを容易にするために、バンド３の端部７に設けられている窓18を雄形突出部９の上の固定位置に押し込んでから留め具２を固定することができるようになっている。手首などに情報バンド１を締め付けるには、着用者の手首にバンドを緩みのないように巻き付けたら、バンド３の窓のない方のもう１つの端部８を留め具２の底部４に前記端部７と重ねるように置いて、蓋部５をバンド３の端部８の上にかぶせて固定するように留め付けさえすればよい。
【００１０】
バンド３から留め具２を緩めて着用者の手首から外すのには、２本の手を使用しなくてはならない。留め具２又は蓋部５の外側上部19には凹陥部20が設けられており、該凹陥部20の底面21は凹陥部20の一部であると同時に、その縁端部が前記縁部14になっている。したがって、留め具２が留め付けられると、切欠き部22ができることになり、ここに前記鉤部材12が嵌り込む。留め具２を開くときには、片手の指で固定部の上部５を把持し、換言すれば、バンド３の長手方向を横切っている２つの端部である、蓋部５の対向する端部23, 24を掴み、同時に、もう片方の手の何本かの指を鉤部材12そのものにかけて、鉤部材が縁部14の固定位置から外側に曲がるような力を及ぼせばよい。底部４と蓋部５とを相互に留め付けた後の挟握手段６による挟握力が高いにもかかわらず、留め具２の特別な構造故に、このように力をかけさえすれば留め具を開けることができる。
【図面の簡単な説明】
【００１１】
【図１】図１は、着用者の手首の周囲の所定位置にバンドを固定するために、留め具を閉めた状態の、本発明による情報バンドの斜視図である。
【図２】図２は、留め具と共に使用するバンドの斜視略図である。
【図３】図３は、情報バンドの留め具を開いた状態の斜視略図である。
【図４】図４は、図３に示された留め具を反対側から見た斜視略図である。
【図５】図５は、図３に示された留め具を完全に開いた状態の側面図であり、留め具の底部にある挟握手段の上にバンドを渡す前の状態を示している。
【図６】図６は、バンドを挟んで閉じた状態にある留め具を上から見た図である。
【図１】
2005522297.tif 000003
【図２】
2005522297.tif 000004
【図３】
2005522297.tif 000005
【図４】
2005522297.tif 000006
【図５】
2005522297.tif 000007
【図６】
2005522297.tif 000008
【手続補正書】
【提出日】平成15年9月2日(2003.9.2)
【手続補正１】
【補正対象書類名】特許請求の範囲
【補正対象項目名】全文
【補正方法】変更
【補正の内容】
【特許請求の範囲】
【請求項１】
好ましくは着用者の手首に捲回して使用され、着用者に関する実用的な情報を有し、留め具（２）とバンド（３）とからなり、該留め具（２）は底部（４）に軸支回転可能に接続された蓋部（５）、及び該底部と蓋部（４，５）との間であって両者の内側に形成された少なくとも１つの挟握手段（６）を有し、着用中には、前記底部と蓋部（４，５）とは固定具（16）によって相互に合わさるように留め付けられ、同時に、前記挟握手段（６）によって前記バンド（３）の２つの端部（７，８）を所定位置に挟握して固定する情報バンドにおいて、前記留め具（２）が少なくとも２つの挟握手段を有し、該挟握手段の各々が、前記底部（４）に形成された少なくとも１つの雄形突出部（９）と、前記蓋部（５）に形成されると共に該雄形突出部（９）と協働する凹部（10）とを有し、前記凹部（10）の間には壁の形状をした中央筋が設けられており、前記留め具が留め付けられている間は、該中央筋は前記雄形突出部（９）の間に下向きに突き出しており、バンドを入れた後には、前記固定具（16）を形成する部品の留め付け固定協働による強力な挟握力によってバンド（３）の両端部（７，８）を挟握・固定するのを助け、前記固定具（16）は、前記底部（４）の蓋部と接続されていない方の端部（13）から突き出している切り妻形の壁（15）の内側に設けられた鉤部材（12）と、前記蓋部（５）の底部と接続されていない方の端部（17）に形成された縁部（14）とを有しており、前記鉤部材（12）は該縁部（14）の上側部と協働する下側部を有し、前記バンド（３）の両端部（７，８）に対する前記挟握手段（６）の挟握力故に、前記留め具（２）をその留め付け位置から緩めるのには、片手の指で留め具（２）の蓋部（５）を掴むと同時に、もう片方の手で鉤部材（12）に外向きの力を与えることによって、縁部（14）の前記上側部における固定状態を緩めることによって、両手で留め具を掴むことが要求されることを特徴とする情報バンド。
【請求項２】
前記バンド（３）の一方の自由端（14）が、前記挟握手段（６）に固定されて協働するための開口部（18）を有していることを特徴とする、請求項１に記載の情報バンド。
【国際調査報告】
2005522297.tif 000009
2005522297.tif 000010
2005522297.tif 000011